(57)【特許請求の範囲】
【請求項１】
ディスプレイパネルと、
該ディスプレイパネルの上に配置される回路板と、
前記ディスプレイパネルの上に配置される光ガイド構造と、
２つのペースト材料とを含み、
前記光ガイド構造は、底面と、周囲面とを有し、前記底面は、前記ディスプレイパネルに向かって向けられ、前記周囲面は、前記底面に隣接し、２つの鍍金パッドが前記底面に形成され、２つの第１の凹部が、前記底面に対して垂直な前記周囲面の厚さ方向における所定の厚さ及び前記底面に対して水平な前記周囲面の幅方向及び奥行き方向における所定の長さで前記周囲面に形成され且つ前記２つの鍍金パッドに対応し、
前記２つのペースト材料は、前記２つの鍍金パッドと前記回路板との間に形成される、
ディスプレイ装置。
【請求項２】
前記底面に対して垂直な方向における前記第１の凹部の厚さは０．１ｍｍ以上である、請求項１に記載のディスプレイ装置。
【請求項３】
前記底面と平行な前記周囲面の幅方向及び奥行き方向における前記第１の凹部の長さは、前記鍍金パッドを超える、請求項１に記載のディスプレイ装置。
【請求項４】
前記２つの第１の凹部は、前記光ガイド構造の内壁を貫通するように或いは貫通しないように形成される、請求項１に記載のディスプレイ装置。
【請求項５】
単一の凹部を形成するために、前記２つの第１の凹部は互いに連絡するように形成される、請求項１に記載のディスプレイ装置。
【請求項６】
２つの第２の凹部が、前記２つの鍍金パッドに隣接して、前記底面に対して垂直な前記周囲面の厚さ方向における所定の厚さ及び前記底面と水平な前記周囲面の幅方向及び奥行きにおける所定の長さで前記底面に形成される、請求項１に記載のディスプレイ装置。
【請求項７】
前記底面と平行な前記周囲面の幅方向における前記第２の凹部の幅は、０．１ｍｍ以上である、請求項６に記載のディスプレイ装置。
【請求項８】
前記第２の凹部は、前記第１の凹部と連絡するように或いは連絡しないように形成される、請求項６に記載のディスプレイ装置。
【発明の詳細な説明】
【技術分野】
【０００１】
本発明はディスプレイ装置に関し、より具体的には、ディスプレイパネル内でイメージ粘着（画像粘着）が起こるのを防止し得るディスプレイ装置に関する。
【背景技術】
【０００２】
図１を参照すると、図１は従来技術のディスプレイ装置１を例示する斜視図である。図１に示すように、ディスプレイ装置１は、ディスプレイパネル１０と、回路板１２と、光ガイド構造１４と、２つのペースト材料１６とを含む。回路板１２及び光ガイド構造１４は、ディスプレイパネル１０上に配置される。一般的には、正面光モジュールを形成するために、光ガイド構造１４内に配置される光源（図示せず）がある。回路板１２と光源とを電気的に接続するために、２つのペースト材料１６は回路板１２と光ガイド構造１４との間に形成される。ディスプレイ装置１が高温及び高湿度の環境において長時間（例えば、２４０時間）に亘って作動させられるとき、ペースト材料１６は熱膨張及び収縮の故に変形し得るので、ディスプレイパネル内でイメージ粘着が起こり得る。
【発明の概要】
【発明が解決しようとする課題】
【０００３】
前述の問題を解決するために、本発明はディスプレイパネル内でイメージ粘着が起こるのを防止し得るディスプレイ装置を提供する。
【課題を解決するための手段】
【０００４】
本発明のある実施態様によれば、ディスプレイ装置は、ディスプレイパネルと、回路板と、光ガイド構造と、２つのペースト材料とを含む。回路板はディスプレイパネルの上に配置される。光ガイド構造はディスプレイパネルの上に配置される。光ガイド構造は、底面と、周囲面とを有し、底面はディスプレイパネルに向かって向けられ、周囲面は底面に隣接する。２つの鍍金パッドが底面に形成される。２つの第１の凹部が周囲面に形成され、２つの第１の凹部は２つの鍍金パッドに対応する。２つのペースト材料は２つの鍍金パッドと回路板との間に形成される。
【０００５】
上述のように、本発明は周囲面に第１の凹部を形成し、第１の凹部は鍍金パッドに対応する。ペースト材料が熱膨張及び収縮の故に変形するときには、ペースト材料が収縮するときに鍍金パッドを引き下げ且つペースト材料が膨張するときに鍍金パッドを持ち上げ得るよう、第１の凹部はバネとして機能する。従って、ペースト材料内で応力集中は減少させられ、ディスプレイパネル内でイメージ粘着が起こることは防止される。
【０００６】
本発明のこれらの及び他の目的は、様々な図面及び図に例示される好適実施態様の以下の詳細な記載を判読した後、当業者に疑義なく明らかになるであろう。
【図面の簡単な説明】
【０００７】
【図１】従来技術のディスプレイ装置を示す斜視図である。
【０００８】
【図２】本発明のある実施態様に従ったディスプレイ装置を示す斜視図である。
【０００９】
【図３】図２に示す光ガイド構造を他の視角から示す斜視図である。
【００１０】
【図４】本発明の他の実施態様に従ったディスプレイ装置を示す斜視図である。
【００１１】
【図５】本発明の他の実施態様に従った光ガイド構造を示す斜視図である。
【発明を実施するための形態】
【００１２】
図２及び３を参照すると、図２は本発明のある実施態様に従ったディスプレイ装置３を例示する斜視図である、図３は図２に示す光ガイド構造を他の視角から例示する斜視図である。
【００１３】
図２に示すように、ディスプレイ装置３は、ディスプレイパネル３０と、回路板３２と、光ガイド構造３４と、２つのペースト材料３６とを含む。この実施態様において、ディスプレイパネル３０は液晶ディスプレイ（ＬＣＤ）又は他のディスプレイパネルであってよく、回路板３２はフレキシブルプリント回路基板（ＦＰＣ）又は他の回路板であってよく、ペースト材料３６は銀ペースト又は他のペース材料であってよい。光ガイド構造を液晶ポリマ（ＬＣＰ）で作製し得るが、それに限定されない。
【００１４】
回路板３２及び光ガイド構造３４は、ディスプレイパネル３０の上に配置される。一般的には、正面光モジュールを形成するために、光ガイド構造３４内に配置される光源（例えば、図示しない発光ダイオード）がある。光ガイド構造３４は、底面３４０と、周囲面３４２とを有し、光ガイド構造３４がディスプレイパネル３０の上に配置されるとき、底面３４０はディスプレイパネル３０に向かって向けられ、周囲面３４２は底面３４０に隣接する。図３に示すように、２つの鍍金パッド３４４が底面３４０に形成される。更に、２つの第１の凹部３４６が周囲面３４２に形成され、２つの第１の凹部３４６は２つの鍍金パッド３４４に対応する。回路板３２と光ガイド構造３４内の光源（図示せず）とを電気的に接続するために、２つのペースト材料３６は、２つの鍍金パッド３４４と回路板３２との間に形成される。
【００１５】
ペースト材料３６が熱膨張及び収縮の故に変形するときには、ペースト材料３６が収縮するときに鍍金パッド３４４を引き下げ且つペースト材料３６が膨張するときに鍍金パッド３４４を持ち上げ得るよう、第１の凹部３４６はバネとして機能する。従って、ペース材料３６内で応力集中が減少させられ、ディスプレイパネル３０内でイメージ粘着(image  sticking)が起こるのが防止される。
【００１６】
ペースト材料３６内の応力集中を減少させ且つディスプレイパネル３０内でイメージ粘着が起こるのをより効果的に防止し得るよう、底面３４０に対して垂直な方向における第１の凹部３４６の厚さＴは０．１ｍｍ以上であり得るのが好ましく、底面３４０と平行な方向における第１の凹部３４６の長さＬ１及びＬ２は鍍金パッド３４４を超え得るのが好ましい。
【００１７】
この実施態様では、実際の用途に応じて、光ガイド構造３４の内壁を貫通するように或いは貫通しないように２つの第１の第１の凹部３４６を形成し得る。
【００１８】
図２と共に図４を参照すると、図４は本発明の他の実施態様に従ったディスプレイ装置３’を例示する斜視図である。ディスプレイ装置３’と前述のディスプレイ装置３との間の相違は、図４に示すように、単一の凹部を形成するために、ディスプレイ装置３’の２つの第１の凹部３４６が互いに連絡するように形成されることである。換言すれば、本発明は周囲面３４２に単一の凹部を形成して前述のディスプレイ装置３と同じ機能を達成し得る。
【００１９】
図３と共に図５を参照すると、図５は本発明の他の実施態様に従った光ガイド構造３４’を例示する斜視図である。光ガイド構造３４’と前述の光ガイド構造３４との間の相違は、光ガイド構造３４’が、図５に示すように、２つの鍍金パッド３４４に隣接して底面３４０に形成される、２つの第２の凹部３４８を更に含むことである。図２に示す光ガイド構造３４が図５に示す光ガイド構造３４’と置換されるときには、ペースト材料３６内で応力集中をより効率的に減少させ且つディスプレイパネル３０内でイメージ粘着が起こるのをより効率的に防止し得る。
【００２０】
ペースト材料３６内で応力集中をより効率的に減少させ且つディスプレイパネル３０内でイメージ粘着が起こるのをより効率的に防止し得るよう、底面３４０と平行な方向における第２の凹部３４８の幅Ｗは０．１ｍｍ以上であるのが好ましい。
【００２１】
この実施態様では、実際の用途に応じて、第１の凹部３４６と連絡するように或いは連絡しないように第２の凹部３４８を形成し得る。
【００２２】
上述のように、本発明は周囲面に第１の凹部を形成し、第１の凹部は鍍金パッドに対応する。ペースト材料が熱膨張及び収縮の故に変形するときには、ペースト材料が収縮するときに鍍金パッドを引き下げ且つペースト材料が膨張するときに鍍金パッドを持ち上げ得るよう、第１の凹部はバネとして機能する。従って、ペースト材料内で応力集中が減少させられ、ディスプレイパネル内でイメージ粘着が起こるのが防止される。更に、ペースト材料内の応力集中をより効果的に減少させ且つディスプレイパネル内でイメージ粘着が起こるのをより効果的に防止し得るように、本発明は鍍金パッドに隣接して底面に第２の凹部を形成し得る。
【００２３】
当業者は本発明の教示を維持しながら装置及び方法の数多くの変形及び変更を行い得ることを直ちに観察するであろう。従って、上記開示は付属の請求項の境界によってのみ限定されるものと解釈されるべきである。
【符号の説明】
【００２４】
１      ディスプレイ装置
１０    ディスプレイパネル
１２    回路板
１４    光ガイド構造
１６    ペースト材料
３      ディスプレイ装置
３’    ディスプレイ装置
３０    ディスプレイパネル
３２    回路板
３４    光ガイド構造
３４’  光ガイド構造
３４０  底面
３４２  周囲面
３４４  鍍金パッド
３４６  第１の凹部
３４８  第２の凹部
３６    ペースト材料
【図１】
0006050856.tif 000002
【図２】
0006050856.tif 000003
【図３】
0006050856.tif 000004
【図４】
0006050856.tif 000005
【図５】
0006050856.tif 000006